(57)【要約】【課題】透光性基板と表示部との間に異物等が侵入した場合に、当該異物等による画像の劣化を防ぐことができる画像表示装置を提供すること。【解決手段】画像を表示する表示領域Ａを有した液晶パネル４２と、液晶パネル４２を支持するフレーム４１と、液晶パネル４２との間に隙間を隔てて配置され、かつ、表示領域Ａを覆うカバーガラス４５とを備える。カバーガラス４５は、表裏面が粘着面とされる両面テープ４６によってフレーム４１に固定される。両面テープ４６は、液晶パネル４２とカバーガラス４５との間において、表示領域Ａに重ならない位置に設けられた延出部４６１を有する。従って、液晶パネル４２とカバーガラス４５との間に侵入した異物等Ｃは、両面テープの延出部４６１により捕獲されるので、異物等Ｃが表示領域Ａで表示される画像に影となって現れることを防ぎ、異物等Ｃによる画像の劣化が防止される。【選択図】図４
2008148885.tif 000002
【特許請求の範囲】
【請求項１】
画像を表示する表示領域を有する表示部と、この表示部を支持する枠体と、少なくとも前記表示領域を覆う透光性基板とを備え、
前記透光性基板は、前記表示部との間に所定の隙間を隔てて前記枠体に取り付けられ、
前記表示部と前記透光性基板との間には、前記表示領域を観察する方向から見て前記表示領域に重ならない位置に、粘着性を有する粘着部が設けられていることを特徴とする画像表示装置。
【請求項２】
請求項１に記載の画像表示装置において、
前記透光性基板には、前記表示領域に対応する領域以外の領域に、当該表示領域に対応する領域よりも透光性の低い領域が形成されていることを特徴とする画像表示装置。
【請求項３】
請求項１または請求項２に記載の画像表示装置において、
前記枠体には、
前記表示領域が露出する開口部と、
前記表示領域を観察する方向に対して交差する方向に延出する延出部とが形成され、
前記透光性基板は、表裏面が粘着面とされる両面テープにより前記枠体の延出部に接着され、
前記粘着部は、前記開口部に対応する位置に延出した前記両面テープの延出部であることを特徴とする画像表示装置。
【請求項４】
請求項１ないし請求項３のいずれかに記載の画像表示装置を備えることを特徴とする遊技機。
【請求項５】
画像を表示する表示部と、この表示部を支持する枠体と、前記表示部との間に所定の隙間を隔てて前記枠体に取り付けられ、少なくとも前記表示部の表示領域を覆う透光性基板とを備える画像表示装置の組立方法であって、
前記枠体には、
前記表示領域が露出する開口部と、
前記表示領域を観察する方向に対して交差する方向に延出する延出部とが形成され、
当該画像表示装置の組立方法は、
前記透光性基板に表裏面が粘着面とされる両面テープの一方の粘着面を貼り付ける第１の貼付工程と、
前記両面テープの他方の粘着面を前記枠体の延出部における前記表示部に対向する側とは反対側に貼り付ける第２の貼付工程とを備え、
前記第１の貼付工程において、前記両面テープの少なくとも一部が、前記開口部に対応する位置で、かつ、前記表示領域に重ならない位置に延出するように貼り付けられることを特徴とする画像表示装置の組立方法。
【発明の詳細な説明】
【技術分野】
【０００１】
本発明は、画像表示装置、当該画像表示装置を備えた遊技機、及び、画像表示装置の組立方法に関する。
【背景技術】
【０００２】
従来、遊技機として、遊技盤に設けられた入賞口に遊技球が入賞すると、当該入賞した遊技球の球数に応じて遊技球を払い出すパチンコ機や、抽選動作を停止させて、所定の絵柄が揃った場合に所定枚数のコインを払い出すパチスロ機等が知られている。このようなパチンコ機として、液晶表示装置などの画像表示装置を備えたパチンコ機が知られている（例えば、特許文献１参照）。
【０００３】
この特許文献１に記載の画像表示装置は、画像の表示領域を有する液晶パネル（表示部）を備えており、遊技盤の略中央に形成された開口部に嵌め込まれ、表示領域が遊技盤の表側から視認されるように構成されている。そして、この画像表示装置には、遊技盤の開口部から視認される部分に、表示領域を保護するためのカバーガラス（透光性基板）が設けられており、当該カバーガラスにより、パチンコ機の遊技球が衝突しても、画像表示装置が損傷しないように構成されている。なお、カバーガラスは、液晶パネルの表側に設けられている。
【０００４】
【特許文献１】特開２００６−１２２５７７号公報
【発明の開示】
【発明が解決しようとする課題】
【０００５】
しかしながら、特許文献１に記載の画像表示装置では、液晶パネルとカバーガラスとの間にごみ等の異物が侵入してしまった場合、または、外部からの衝撃等によって部品の一部が外れ、液晶パネルとカバーガラスとの間に侵入してしまった場合に、当該異物や部品の一部が、液晶パネルの表示領域内に侵入してしまう可能性がある。このような場合、当該異物等が影となって視認されてしまい、表示画像が劣化するという問題がある。このような場合には、カバーガラスを一度取り外して異物を除去するか、画像表示装置を分解し液晶パネルを取り外して異物を除去しなければならず、手間が掛かり問題だった。
【０００６】
一方、液晶パネルとカバーガラスとの間に隙間が生じないように、当該カバーガラスを液晶パネルに密着させて取り付けることも考えられるが、このような構成では、表示画像にニュートンリング（等厚干渉縞）が生じやすくなり、表示画像が劣化するという問題がある。
【０００７】
本発明の目的は、透光性基板と表示部との間に異物等が侵入した場合に、当該異物等による画像の劣化を防ぐことができる画像表示装置、遊技機及び画像表示装置の組立方法を提供することである。
【課題を解決するための手段】
【０００８】
前記した目的を達成するために、本発明の画像表示装置は、画像を表示する表示領域を有する表示部と、この表示部を支持する枠体と、少なくとも前記表示領域を覆う透光性基板とを備え、前記透光性基板は、前記表示部との間に所定の隙間を隔てて前記枠体に取り付けられ、前記表示部と前記透光性基板との間には、前記表示領域を観察する方向から見て前記表示領域に重ならない位置に、粘着性を有する粘着部が設けられていることを特徴とする。
【０００９】
この発明によれば、表示部と透光性基板との間に粘着部が設けられているので、表示部と透光性基板との間に侵入した異物等は、粘着部に捕獲される。この際、粘着部は、表示領域に重ならない位置に設けられているので、粘着部に捕獲された異物等が、表示領域で表示される画像に影となって現れることを防ぐことができる。従って、透光性基板を一度取り外したり、画像表示装置を分解し表示部を取り外したりして異物等を除去する手間を掛けずに、異物等による画像の劣化を防ぐことができる。
【００１０】
また、異物等が粘着部に捕獲されて移動できない状態となれば、画像表示装置に振動等が加わった場合でも、異物等が移動して表示領域に重なる位置に移動してしまうことを防ぐことができる。
さらに、表示領域に重なる位置に異物等が侵入してしまった場合に、画像表示装置に対して故意に振動を加えることで、当該異物等を移動させて粘着部に捕獲されるようにすることもできる。
加えて、透光性基板と表示部との間には、所定の隙間が形成されているので、透光性基板によってニュートンリングが形成されることを防ぐことができる。従って、表示画面の劣化を一層防ぐことができる。
【００１１】
本発明の画像表示装置では、前記透光性基板には、前記表示領域に対応する領域以外の領域に、当該表示領域に対応する領域よりも透光性の低い領域が形成されていることが好ましい。
本発明によれば、透光性基板のうちで表示領域に重ならない領域の透光性が、当該表示領域に重なる領域より低くなるように透光性基板が形成されていれば、粘着部及び粘着部に捕獲された異物等が透光性基板を通して視認されることを確実に防ぐことができる。
【００１２】
本発明の画像表示装置では、前記枠体には、前記表示領域が露出する開口部と、前記表示領域を観察する方向に対して交差する方向に延出する延出部とが形成され、前記透光性基板は、表裏面が粘着面とされる両面テープにより前記枠体の延出部に接着され、前記粘着部は、前記開口部に対応する位置に延出した前記両面テープの延出部であることが好ましい。
【００１３】
本発明によれば、両面テープが枠体の内側、すなわち、枠体に形成された延出部から表示領域側に延出するように設けられているので、この延出部分における表裏面の粘着面のうちで一方の粘着面は、透光性基板に貼り付いた状態となり、他方の粘着面は、透光性基板及び枠体のどちらにも貼り付いていない状態となる。従って、この他方の粘着面を本発明の粘着部として構成することができ、これにより、両面テープの延出部に異物等を捕獲させることができる。従って、両面テープの延出部分を本発明の粘着部として構成することにより、粘着部を容易に設けることができるとともに、組立時の部品点数及び組立工数が増えないので製造コストの上昇を防ぐことができる。
【００１４】
また、本発明の遊技機は、前記画像表示装置を備えることを特徴とする。
ここで、遊技機としては、パチンコ機、パチスロ機、ピンボール機及びアレンジボール機等を例示することができる。
本発明によれば、前述の画像表示装置と同様の効果を奏することができるほか、以下の効果を奏することができる。
すなわち、表示部と透光性基板との間に異物等が浸入しても、粘着部で異物等が捕獲されるので、画像表示装置を遊技機から取り外して異物等を除去する手間が掛からずに済むことができる。
さらに、遊技機がパチンコ機として構成されている場合、当該パチンコ機の動作中では、遊技球が画像表示装置の透光性基板に衝突すること等により、画像表示装置には振動が加わることになる。これによれば、表示部と透光性基板との間に異物等が浸入しても、遊技球が衝突すること等の振動により、異物等が移動して粘着部に捕獲され易くすることができる。従って、異物等が表示領域内に侵入して、当該表示領域により表示される画像が劣化することを一層確実に防ぐことができる。
【００１５】
また、本発明の画像表示装置の組立方法は、画像を表示する表示部と、この表示部を支持する枠体と、前記表示部との間に所定の隙間を隔てて前記枠体に取り付けられ、少なくとも前記表示部の表示領域を覆う透光性基板とを備える画像表示装置の組立方法であって、前記枠体には、前記表示領域が露出する開口部と、前記表示領域を観察する方向に対して交差する方向に延出する延出部とが形成され、当該画像表示装置の組立方法は、前記透光性基板に表裏面が粘着面とされる両面テープの一方の粘着面を貼り付ける第１の貼付工程と、前記両面テープの他方の粘着面を前記枠体の延出部における前記表示部に対向する側とは反対側に貼り付ける第２の貼付工程とを備え、前記第１の貼付工程において、前記両面テープの少なくとも一部が、前記開口部に対応する位置で、かつ、前記表示領域に重ならない位置に延出するように貼り付けられることを特徴とする。
【００１６】
この発明によれば、前述の画像表示装置と同様の効果を奏することができる。
すなわち、本発明の画像表示装置の組立方法によれば、枠体の延出部に、透光性基板を貼り付ける両面テープの延出部分が、表示部と透光性基板との間に侵入した異物等を捕獲するので、当該異物等が表示領域内に侵入して、当該表示領域にて表示される画像の劣化を防止することができる。
また、両面テープの一部が異物等を捕獲するので、当該異物等を捕獲する部材を別途設ける必要がなく、組立時の部品点数及び組立工数が増えないので製造コストの上昇を防ぐことができる。
【発明を実施するための最良の形態】
【００１７】
以下、本発明の一実施形態を図面に基づいて説明する。
〔１．パチンコ機１の外観構成〕
図１は、本実施形態のパチンコ機１の外観を示す斜視図である。
本実施形態のパチンコ機１は、本発明の遊技機に相当し、遊技者の操作により、遊技球を遊技盤上に射出して、当該遊技球が遊技盤に設けられた入賞口等に入賞した場合に、所定数の遊技球を払い出すものである。このパチンコ機１は、図１に示すように、枠体２と、当該枠体２内に収納される遊技機本体３とを備えて構成されている。
遊技機本体３は、前面側に取り付けられる遊技盤３１と、遊技盤３１の全面を覆う透光板を有する前扉３２と、遊技球を発射するためのハンドル３３とを備えて構成されている。また、遊技機本体３には、当該パチンコ機１全体を制御する制御装置（図示省略）が設けられている。遊技盤３１における略中央には、後述する画像表示装置４が露出する横長で略長方形状の開口部３１Ａが形成されている。
【００１８】
〔２．画像表示装置４の構成〕
図２は、遊技盤３１の裏側に取り付けられる画像表示装置４を示す概略斜視図である。また、図３は、画像表示装置４の構成を示すとともに、当該画像表示装置４の上部における横断面で示す斜視図である。図４は、画像表示装置４の構成を示す横断面図である。なお、図４中の上側の面は、遊技盤３１の開口部３１Ａに対して貼り合わされる面である。
画像表示装置４は、図２に示すように、遊技盤３１の開口部３１Ａに対して遊技盤３１の背面側から取り付けられている。
【００１９】
この画像表示装置４は、図３及び図４に示すように、開口部４１１を有する略直方体状を有する本発明の枠体としてのフレーム４１と、このフレーム４１の内部に収納される液晶パネル４２と、この液晶パネル４２に重ね合わされるように配置されるバックライトユニット４３と、回路基板４４とを有し、これらを一体化した構成を具備している。これら液晶パネル４２、バックライトユニット４３及び回路基板４４は、遊技盤３１に近接する方向、すなわち、遊技者が観察する方向から順に、それぞれがフレーム４１内に配置されている。このうち、液晶パネル４２及びバックライトユニット４３は、本発明の表示部に相当し、当該液晶パネル４２は、バックライトユニット４３から射出された放電光を変調して、回路基板４４から入力する画像信号に応じた画像を形成表示する。すなわち、本実施形態での画像表示装置４は、液晶表示装置として構成されている。
【００２０】
フレーム４１は、横断面視略Ｕ字状に形成されている。具体的に、フレーム４１は、内部に収納される液晶パネル４２より外側（バックライトユニット４３の光射出方向）に延出し、かつ、フレーム４１の内側に向かって延出した延出部４１２が形成され、当該延出部４１２の略中央には、フレーム４１内に収納された液晶パネル４２が露出する横長略矩形状の開口部４１１が形成されている。そして、液晶パネル４２をフレーム４１に取り付ける際には、当該液晶パネル４２は、延出部４１２における内側の面に当接し、これにより、液晶パネル４２はフレーム４１内に位置決めされる。また、前述のように、フレーム４１の内部には、液晶パネル４２の内側の面（遊技盤３１に近接する側とは反対側の面）に接するようにバックライトユニット４３がフレーム４１に固定されている。さらに、このフレーム４１には、開口部４１１を外側から覆うように透光性を有するカバーガラス４５がフレーム４１に貼り付けられている。
【００２１】
カバーガラス４５は、液晶パネル４２の表面を保護するための透光性基板として設けられている。カバーガラス４５としては、ソーダガラスのような無機ガラス製でもよく、あるいは、ポリカーボネートやアクリル樹脂といった有機ガラス製でもよい。また、カバーガラス４５の外表面の周縁部には、開口部４１１から露出される液晶パネル４２の表示領域（見切り範囲）Ａを区画形成するように透光性の低い塗料が塗装され、これにより、不透光領域Ｂが形成されている。表示領域Ａは、フレーム４１の開口部４１１の中で、かつ開口部４１１よりも狭い範囲となるように形成されている。
【００２２】
また、カバーガラス４５は、表裏面に粘着面を有する両面テープ４６でフレーム４１に接着されている。この両面テープ４６は、フレーム４１の開口部４１１の周縁部、すなわち、本発明の延出部４１２に貼り付けられている。両面テープ４６の表面側の粘着面は、カバーガラス４５に貼り付けられ、裏面側の粘着面は、フレーム４１に貼り付けられている。また、両面テープ４６は、フレーム４１の開口部４１１の一部を覆うようにカバーガラス４５に貼り付けられており、延出部分である延出部４６１は、開口部４１１に対応する領域内に、粘着面を露出させている。すなわち、両面テープ４６の表面側の粘着面は、延出部４６１を含む全面がカバーガラス４５に接着されている。一方、両面テープ４６の裏面側の粘着面は、延出部４６１以外の部分がフレーム４１に接着され、延出部４６１がフレーム４１に接着されない状態となっている。この延出部４６１は、本発明の粘着部に相当し、当該延出部４６１は、液晶パネル４２を観察する際に、当該液晶パネル４２の表示領域Ａに重ならない位置に形成されている。
【００２３】
〔３．異物が捕獲される構成の説明〕
次に、画像表示装置４において異物等が捕獲されるまでの異物等の動きなどを図４に基づいて説明する。
ここで、異物等Ｃ（図４中）とは、ごみ等の異物や、外部から振動等によって外れた部品の一部などを示している。このような異物等Ｃが液晶パネル４２とカバーガラス４５の間に侵入すると、当該異物等Ｃは両面テープ４６の延出部４６１に捕獲される。延出部４６１は、表示領域Ａと平面的に重ならない位置に設けられているので、延出部４６１に捕獲された異物等Ｃが表示画像中に影となって現れないようになっている。また、両面テープ４６が配置されるカバーガラス４５の周縁部には、不透光領域Ｂが形成されているので、両面テープ４６がカバーガラス４５から視認されることがなく、ひいては、当該両面テープ４６の延出部４６１により捕獲された異物等Ｃが視認されないように構成されている。さらに、画像表示装置４に振動等が加わっても、延出部４６１に捕獲された異物等Ｃが表示領域Ａの方へ移動しないようになっている。
【００２４】
〔４．画像表示装置４の組立方法〕
次に、画像表示装置４の組立方法について説明する。
まず、フレーム４１の内部に液晶パネル４２、バックライトユニット４３及び回路基板４４をそれぞれ固定する。また、予めカバーガラス４５の外表面の不透光領域Ｂに対応する領域に、前述の塗料を塗布しておく。次に、カバーガラス４５に両面テープ４６の一方の粘着面（表面側の粘着面）を貼り付ける（第１貼付工程）。この際、両面テープ４６の一部（延出部４６１）が開口部４１１に重なるように両面テープ４６を配置させる。次に、両面テープ４６の他方の粘着面（裏面側の粘着面）をフレーム４１に貼り付けて、カバーガラス４５をフレーム４１に接着させる（第２貼付工程）。このようにして、カバーガラス４５が開口部４１１を覆うようにフレーム４１に固定され、画像表示装置４が組み立てられる。
【００２５】
〔５．本実施形態の効果〕
上述した本実施形態によれば、次のような効果を奏することができる。
（１）液晶パネル４２とカバーガラス４５との間に両面テープ４６の延出部４６１が設けられているので、液晶パネル４２とカバーガラス４５との間に侵入した異物等Ｃは、延出部４６１により捕獲される。さらに、延出部４６１は、表示領域Ａに重ならない位置に位置しているので、延出部４６１に捕獲された異物等Ｃが、表示領域Ａで表示される画像中に影となって現れることを防ぐことができる。従って、画像表示装置４をパチンコ機１から取り外し、カバーガラス４５を一度取り外したり、画像表示装置４を分解し液晶パネル４２を取り外したりして異物等Ｃを除去する手間を掛けずに、異物等Ｃによる表示画像の劣化を防ぐことができる。
【００２６】
（２）パチンコ機１の動作中において、例えばパチンコ機１の遊技球が画像表示装置４のカバーガラス４５に衝突することなどによって画像表示装置４に振動が加わるので、液晶パネル４２とカバーガラス４５との間に異物等Ｃが浸入しても、振動によって異物等Ｃが移動する。これによれば、異物等Ｃを延出部４６１により捕獲し易くすることができ、異物等Ｃによる表示領域Ａで表示される画像の劣化を確実に防止することができる。
【００２７】
（３）異物等Ｃは、一度、延出部４６１により捕獲されると移動が規制されるので、遊技球の衝突等により、画像表示装置４に振動などが加わった場合でも、当該異物等Ｃが表示領域Ａも対応する領域に移動して視認されてしまうという恐れをなくす効果がある。
【００２８】
（４）カバーガラス４５の周縁部には、表示領域Ａに対応する領域を区画する不透光性を有する塗料が塗装された不透光領域Ｂが形成され、両面テープ４６の延出部４６１は、当該不透光領域Ｂに対応する位置に配置されている。これによれば、延出部４６１及び延出部４６１に捕獲された異物等Ｃがカバーガラス４５を通して視認されることを確実に防ぐことができる。
【００２９】
（５）両面テープ４６がフレーム４１の内側に延出する延出部４６１を有し、この延出部４６１がカバーガラス４５と液晶パネル４２との間に侵入した異物等Ｃを捕獲する。これによれば、カバーガラス４５をフレーム４１に取り付ける両面テープ４６の一部（延出部４６１）により、異物等Ｃを捕獲することができるので、当該異物等Ｃを捕獲する部材を別途設ける必要をなくすことができる。従って、組立時の部品点数及び組立工数が増えないので製造コストの上昇を防ぐことができる。
【００３０】
〔６．本実施形態の変形〕
本発明を実施するための最良の構成などは、以上の記載で開示されているが、本発明はこれに限定されるものではない。すなわち、前記実施形態は、本発明を限定するものではないから、それらの形状、材質などの限定の一部若しくは全部の限定を外した部材の名称での記載は、本発明に含まれるものである。
例えば、前記実施形態では、粘着部として両面テープの延出部を説明したが、これに限らず、粘着部としては、両面テープとは別体で設けられてもよく、例えば、鳥もちのようなガム状の粘着性物質で形成されたものでもよい。
【００３１】
また、前記実施形態では、カバーガラスの表面に不透光性の塗料が塗装されることで形成される不透光領域Ｂにより、液晶パネルの表示領域Ａが区画されていたが、これに限らず、不透光性を有するシールやその他の部材をカバーガラスの表面に配置させて液晶パネルの表示領域を区画してもよい。また、不透光領域Ｂとせずとも、表示領域Ａに対応する領域より、透光性の低い領域が形成されていれば、捕獲された異物等を視認しにくくすることができる。
【００３２】
前記実施形態では、遊技機としてパチンコ機を説明したが、これに限らず遊技機としてパチスロ機、ピンボール機及びアレンジボール機等を例示することができる。
また、本発明の画像表示装置は、遊技機に限らず、画像表示装置単体として用いられることができるほか、自動販売機や自動券売機などのような電子機器の表示部の一部として利用されてもよく、画像表示装置を有する電子機器に適用されてもよい。
【産業上の利用可能性】
【００３３】
本発明は、遊技機、及びその他の画像表示装置を有する電子機器などに利用することができる。
【図面の簡単な説明】
【００３４】
【図１】本発明の一実施形態における遊技機の外観を示す斜視図。
【図２】前記遊技機の画像表示装置を示す概略斜視図。
【図３】前記画像表示装置の構成を示す斜視図。
【図４】前記画像表示装置の構成を示す横断面図。
【符号の説明】
【００３５】
１…パチンコ機（遊技機）、４…画像表示装置、４１…フレーム（枠体）、４２…液晶パネル（表示部）、４５…カバーガラス（透光性基板）、４６…両面テープ、４１１…開口部、４１２…フレームの延出部（枠体の延出部）、４６１…両面テープの延出部（粘着部）、Ａ…表示領域。
【図１】
2008148885.tif 000003
【図２】
2008148885.tif 000004
【図３】
2008148885.tif 000005
【図４】
2008148885.tif 000006